(57)【要約】【課題】光利用率がよく、構造も大きくせずにすみ、コストも安価な無電極ランプ。【解決手段】アーク発生および維持媒体を含んでいる閉じている管形状ランプ外管１３と、該媒体を付勢するための手段と、ランプ外管に関連付けられかつ固定されているリフレクタコーティング２２とを有している。【選択図】図２
2006108108.tif 000002
【特許請求の範囲】
【請求項１】
アーク発生および維持媒体を含んでいる閉じている管形状ランプ外管と、
該媒体を付勢するための手段と、
前記ランプ外管に関連付けられかつ固定されているリフレクタコーティングとを
有している無電極ランプ。
【請求項２】
リフレクタコーティングは前記外管の内表面に位置決めされている
請求項１記載の無電極ランプ。
【請求項３】
リフレクタコーティングは前記外管の外表面に位置決めされている
請求項１記載の無電極ランプ。
【請求項４】
リフレクタコーティングは１６０および３００°の間の前記外管の断面領域をコーティングする
請求項２記載の無電極ランプ。
【請求項５】
リフレクタコーティングはアルミナである
請求項１記載の無電極ランプ。
【請求項６】
リフレクタコーティングはアルミナである
請求項３記載の無電極ランプ。
【発明の詳細な説明】
【技術分野】
【０００１】
本発明は無電極蛍光ランプ、一層特定すればランプ外管と密接に関連付けられているリフレクタを有しているようなランプに関する。
【背景技術】
【０００２】
蛍光ランプはすべての方向に光を放出する。しかし大抵の用途において所望しないことに、光の５０％以上が無駄になる可能性がある。光の利用効率を高めるために、リフレクタを採用している取り付け部が使用される。リフレクタは、そうしなければ失われることになる光を回復するため（バックワード・ライティング）、並びに必要とされる場所に光を指向するため（ライトコントロール）に使用される。
【０００３】
リフレクタの設計は用途およびランプの幾何学形状およびサイズに依存している。光源が小さければ小さいほどリフレクタもますます小さく、それ故に取り付け部もますます小さい。高出力無電極ランプ（high output electrodeless lamp＝ＨＯＥＬ）は電極を有していない蛍光ランプである。ランプにおける放電は、環状磁気回路を介して結合されている磁界を通して生成される。外管のガラス発光管は閉ループを形成しかつ２つの並列な円筒形状のガラス構造を有している全体として矩形の形状を持っている。この種のランプは知られておりかつ、例えばＵ．Ｓ．Ｐａｔｅｎｔ  Ｎｏｓ．５８３４９０５および６１７５１９７に記載されており、これらの思想はこれを以てここに参照として組み込まれる。これらのランプのサイズおよび形状は２つの主な理由のために比較的大きなリフレクタを必要とする。第１に、ＨＯＥＬサイズおよび幾何学形状のために、リフレクタはランプから離されて、反射光がランプ自体によって吸収されることが回避されるようにしなければならない（リフレクタがランプから離れていればいるほど、同じ固定角をカバーするためにはリフレクタはますます大きくなければならない）。第２に、光コントロールである。良好な光コントロールのために、光源は点光源でなければならない。点光源により、入射光線の方向はわかっておりかつそれぞれのポイントにおけるリフレクタの角度を計算して光を適正な方向に再指向させることができる。ＨＯＥＬのような大きな点光源の場合、リフレクタにおけるいずれか所定のポイントに対して、入射光線は種々異なっている方向から到来する。それ故に、各ポイントにおけるリフレクタの角度は妥協的解決でしかなく、入射光線の大抵は適正な方向に再指向されることにはならない。しかし効率を高めかつよりよい光コントロールを実現するために、リフレクタはランプから離れたところに位置決めされなければならず、その結果として取り付け部は一層大きくなる。
【０００４】
経済的な理由から、並びに美的感覚の理由から、取り付け部はより小さい方が有利である。数多くの用途において、例えば道路照明において、取り付け部のサイズは重要なコスト問題を有している。取り付け部のサイズが大きくなると、重量および風圧抵抗も大きくなり、必然的にマウント用支柱および固定部も大きくなり、これらに伴うコストおよび労力も増大する。
【０００５】
ＨＯＥＬは効率のよい光源ではあるが、サイズおよび幾何学形状のために、大きな光学系が要求され、それ故に取り付け部も大きくなってしまう。ＨＯＥＬが大きな取り付け部と関連した欠点なしに使用することができるとしたら、この分野における進歩にちがいない。
【特許文献１】Ｕ．Ｓ．Ｐａｔｅｎｔ  Ｎｏｓ．５８３４９０５
【特許文献２】Ｕ．Ｓ．Ｐａｔｅｎｔ  Ｎｏｓ．６１７５１９７
【発明の開示】
【発明が解決しようとする課題】
【０００６】
それ故に本発明の課題は、従来の技術の欠点が取り除かれるようにすることである。
【０００７】
本発明の別の課題は、ＨＯＥＬのユーザビリティを高めることである。
【課題を解決するための手段】
【０００８】
この課題は本発明の１つの様相によれば、アーク発生および維持媒体を含んでいる閉じている管形状ランプ外管と、該媒体を付勢するための手段と、前記ランプ外管に関連付けられかつ固定されているリフレクタコーティングとを有している無電極ランプを提供することによって解決される。
【０００９】
リフレクタをランプに直接合体することによって、関連の取り付け部のサイズおよびコストが低減される。
【実施例】
【００１０】
次に本発明を図示の実施例につき図面を用いて詳細に説明する。
【００１１】
本発明のよりよく理解するために、他のおよび別の対象、その利点およびケイパビリティとともに、添付図面の各図と関連した以下の説明および特許請求の範囲の記載も参照されたい。
【００１２】
以下に、具体例が示されているにすぎない各図を参照するに、図１には、リフレクタ１２が近接してマウントされている高出力無電極ランプ（high output electrodeless lamp＝ＨＯＥＬ）１０が示されている。ランプ１０は並列な円筒形状のガラス管１４，１６を有している。これらはそれぞれの端部が管部１８を介して接続されている。管部１８は周知のように、環状磁気回路２０によって取り囲まれている。ＨＯＥＬの矩形形状は大抵の白熱電球およびアーク放電ランプがそうであるように点光源に似ていないので、ＨＯＥＬを従来のリフレクタまたは既存の取り付け部に合うように作り直す試みで、図１に示されているように光コントロールができにくくなる。つまり図１においてランプ１０によって放出される光の大部分は（２１によって示されている）リフレクタ１２にぶつかりかつランプ自体によって吸収されるのであって、所望の照射フィールドに向かって外方向に指向されることはない。従来技術においてこの問題はリフレクタをランプ１０から離す方向に移動することによって解決された。しかしこの仕方ではランプは既存の取り付け部を用いることができないし、また、好便ではないサイズの新しい取り付け部を作らなければならない。
【００１３】
この問題は図２ないし５に示されているような無電極ランプ１０ａを提供することによって解決され、つまりここではランプはアーク発生および維持媒体を含んでいる閉じている管形状ランプ外管と、該媒体を付勢するための手段と、前記ランプ外管に関連付けられかつ固定されているリフレクタコーティングとを有している。
【００１４】
本発明の有利な実施例において、リフレクタコーティング２２は外管の内部表面２４にありかつアルミナのような反射性材料の層を有している。
【００１５】
有利な材料は、ＢａｉｋｏｗｓｋｉのＭｇＯフリーＡｌ２Ｏ３である。択一的に、反射性コーティングは外管の外部表面に付けることもできる。
【００１６】
反射性コーティング２２は有利には、１６０°から３００°までの角度をカバーしかつ反射性コーティング２２は、それが図４および図５に示されているように、２つの円筒形状ガラス管１４ａおよび１６ａに対して平行である平面に関して−１５°と９０°の間の角度のところ始まる。中間的なコーティング角度は図２に示されている。コーティングによってカバーされる領域は勿論、使用状況に依存しており、それとはランプをどこに置くか、使用される予定の取り付け部はどようなものかである。
【００１７】
集積されたリフレクタ２２は、そうしなければ取り付け部に行ってしまうことになるすべての光を反射しかつそれを所望の照射フィールドに再指向する。更に、集積されたリフレクタ２２は取り付け部のリフレクタによって反射された光がランプ自体によって吸収されるを防止するものであり、こうして光コントロールは著しく簡素化されかつ光利用の係数は５０％またはそれ以上高められる。
【００１８】
従って、取り付け部において大きな光システムを必要とせずに効率のよい光利用を実現することによって取り付け部設計の欠点を取り除く無電極ランプ光源が提供されるのである。
【００１９】
ランプによって再吸収される光は著しく低減されかつ全体の光出力は係数５０％またはそれ以上だけ高められる。ワット当たりに使用可能なルーメンも高められ、従ってランプの効率が高められる。
【００２０】
上には、本発明の有利な実施例として考察されていたものが示されもし説明もされたが、特許請求の範囲の各請求項によって定められている発明の範囲を逸脱しなければ種々の変形および修正が可能であることは当業者には勿論のことである。
【図面の簡単な説明】
【００２１】
【図１】従来技術による構造の略図
【図２】本発明の実施例の図１に対応する構造の略図
【図３】本発明の実施例を使用したランプの側面図
【図４】図３のライン４−４に沿って切断して見た断面図
【図５】本発明の択一的な実施例を示す、図４に対応する断面図
【符号の説明】
【００２２】
１０，１０ａ  ランプ、  １２  リフレクタ、  １３  閉ループ管形状ランプ外管、  １４，１４ａ，１６，１６ａ  ガラス管、  １８，１８ａ  管部、  ２０，２０ａ  環状磁気回路、  ２１  光線、  ２２  リフレクタ・コーティング
【図１】
2006108108.tif 000003
【図２】
2006108108.tif 000004
【図３】
2006108108.tif 000005
【図４】
2006108108.tif 000006
【図５】
2006108108.tif 000007